(57)【要約】【課題】ずれや脱げを好適に抑制可能なレッグウェアを提供する。【解決手段】本発明に係るフットカバー（１）は、足裏を覆う足底部（２１）、および踵を覆う踵部（２４）を含む本体部（２）と、踵の背面に対向する踵部（２４）の内側に設けられ、踵部（２４）の生地よりも伸縮性が低い滑り止め部（３）とを備える。滑り止め部（３）は、２以上の異なる方向へ略直線的に延伸し、かつ延伸する方向へ伸びる２つの長辺が略平行である複数の帯状部を含み、該帯状部が一連に組み合わされた形状である。【選択図】図１
2020037766.tif 000002
【特許請求の範囲】
【請求項１】
少なくとも、足裏を覆う足底部、および踵を覆う踵部を含む、伸縮性を有する本体部と、
前記踵部の内側に設けられ、該踵部の生地よりも伸縮性が低い滑り止め部とを備え、
前記滑り止め部は、２以上の異なる方向へ略直線的に延伸し、かつ延伸する方向へ伸びる２つの長辺が略平行である複数の帯状部を含み、該帯状部が一連に組み合わされた形状であることを特徴とするレッグウェア。
【請求項２】
前記足底部に対して垂直な方向を縦方向、前記足底部の幅方向を横方向と定義した場合、
前記滑り止め部は、前記帯状部として、
略横方向へ延伸する第１帯状部と、
略縦方向および略横方向とは異なる方向へ延伸する第３帯状部とを含むことを特徴とする請求項１に記載のレッグウェア。
【請求項３】
前記縦方向における前記滑り止め部の両端部に接し、かつ前記横方向に平行な２辺と、
前記横方向における前記滑り止め部の両端部に接し、かつ前記縦方向に平行な２辺とによって規定される矩形領域内に、踵骨の踵骨隆起が含まれるように、前記滑り止め部が設けられていることを特徴とする請求項２に記載のレッグウェア。
【請求項４】
前記滑り止め部は、２つの前記第３帯状部を含むことを特徴とする請求項２または３に記載のレッグウェア。
【請求項５】
２つの前記第３帯状部は、踵骨を挟むように設けられていることを特徴とする請求項４に記載のレッグウェア。
【請求項６】
２つの前記第３帯状部は、前記第１帯状部の両端部から前記足底部側へ延伸していることを特徴とする請求項４または５に記載のレッグウェア。
【請求項７】
前記滑り止め部は、前記第１帯状部と前記第３帯状部との接続部分で屈曲した形状であることを特徴とする請求項６に記載のレッグウェア。
【請求項８】
２つの前記第３帯状部は、前記足底部に近づくにつれて互いの間隔が広がる角度で設けられていることを特徴とする請求項７に記載のレッグウェア。
【請求項９】
前記滑り止め部は、前記足底部側に開口した略コの字型の形状であることを特徴とする請求項１から８のいずれか一項に記載のレッグウェア。
【請求項１０】
前記足底部に対して垂直な方向を縦方向、前記足底部の幅方向を横方向と定義した場合、
前記滑り止め部は、前記帯状部として、略縦方向および略横方向とは異なる方向へ延伸する複数の第３帯状部を含み、
複数の前記第３帯状部は、互いに交わっていることを特徴とする請求項１に記載のレッグウェア。
【請求項１１】
前記縦方向における前記滑り止め部の両端部に接し、かつ前記横方向に平行な２辺と、
前記横方向における前記滑り止め部の両端部に接し、かつ前記縦方向に平行な２辺とによって規定される矩形領域内に、踵骨の踵骨隆起が含まれるように、前記滑り止め部が設けられていることを特徴とする請求項１０に記載のレッグウェア。
【請求項１２】
前記滑り止め部は、前記本体部の生地よりも摩擦係数が高いことを特徴とする請求項１から１１のいずれか一項に記載のレッグウェア。
【請求項１３】
少なくとも、足裏を覆う足底部、および踵を覆う踵部を含む、伸縮性を有する本体部と、
前記踵部の内側に設けられ、該踵部の生地よりも伸縮性が低い滑り止め部とを備え、
前記滑り止め部は、２以上の異なる方向へ略直線的に延伸する複数の帯状部を含み、該帯状部が一連に組み合わされた形状であり、
前記足底部に対して垂直な方向を縦方向、前記足底部の幅方向を横方向と定義した場合、
前記滑り止め部は、前記帯状部として、
略横方向へ延伸する第１帯状部と、
略縦方向および略横方向とは異なる方向へ延伸する第３帯状部とを含み、
前記第１帯状部の下端部から前記第３帯状部の下端部までの前記縦方向の距離が、前記第１帯状部の前記縦方向の幅よりも大きいことを特徴とするレッグウェア。
【発明の詳細な説明】
【技術分野】
【０００１】
本発明は、足に着用するレッグウェアに関し、より詳細には、歩行などの動作によるずれや脱げを抑制するレッグウェアに関する。
【背景技術】
【０００２】
従来、靴下などのレッグウェアは、素足に直接靴を履いた場合の不快感および疲れや冷えを防ぐ目的などで利用されている。例えばレッグウェアの上に靴を着用した場合、レッグウェアと靴との間に摩擦が生じ、靴とレッグウェアとの摩擦が、足とレッグウェアとの摩擦を上回ると、レッグウェアが足の動きではなく靴の動きに追随し、足に対するレッグウェアのずれや脱げが生じる。レッグウェア着用時に、歩行などの動作によってレッグウェアのずれなどが生じた場合、履き心地に影響するため、ずれや脱げが生じにくいレッグウェアが求められている。特にフットカバーは、靴を履いたときに靴の中に隠れるように構成されているため、足を覆う部分の面積が小さく、着用中にずれなど脱げが生じやすい。
【０００３】
このようなレッグウェアのずれや脱げの抑制に関して、特許文献１〜６には、踵を覆う踵部の内側に各種の滑り止め部を備えたレッグウェアが提案されている。
【０００４】
例えば、特許文献１および２には、踵部の内側に、帯状の滑り止め部が横長に配置されたレッグウェアが提案されている。また、特許文献３および４には、踵部の内側に、突起状または断片状の滑り止め部が非連続的に複数配置されたレッグウェアが提案されている。さらに、特許文献５および６には、踵部の内側に、面状の滑り止め部が配置されたレッグウェアが提案されている。
【先行技術文献】
【特許文献】
【０００５】
【特許文献１】実開平５−１９３０４号公報（１９９３年０３月０９日公開）
【特許文献２】特開平９−５９８０４号公報（１９９７年０３月０４日公開）
【特許文献３】特開平１０−２９２２０６号公報（１９９８年１１月０４日公開）
【特許文献４】特開平１１−３３５９０５号公報（１９９９年１２月０７日公開）
【特許文献５】実開平６−５１２０７号公報（１９９４年０７月１２日公開）
【特許文献６】実用新案登録３１８２６３６号（２０１３年０３月１３日登録）
【発明の概要】
【発明が解決しようとする課題】
【０００６】
フットカバーのずれや脱げの一因として、歩行などの動作時における地面と足との接触や摩擦により、フットカバーの踵部の生地が前方へ引張されて、滑り止め部の位置がずれることが挙げられる。すなわち、踵部の生地の伸縮に付随して踵部の生地の内側に配置された滑り止め部が移動する。また、歩行のメカニズムには、足首の縦方向への屈折動作のみではなく、横方向（外反方向または内反方向）への動作もあるため、踵部の生地は横方向へも引張される。そのため、滑り止め部が所定の位置に留まることができず、十分な滑り止め効果が得られなくなる結果、フットカバーのずれや脱げが生じやすくなる。
【０００７】
しかしながら、上述の従来技術では、踵部の生地の伸縮に伴う滑り止め部の位置ずれに関して何ら考慮されていないため、滑り止め部による十分な滑り止め効果を得ることができないという課題がある。
【０００８】
例えば特許文献１および２の構成では、帯状の滑り止め部が横長に配置されているため、踵部の生地の横方向への伸縮は抑制されるが、踵部の生地の縦方向への伸縮を抑制することができない。そのため、特許文献１および２では、縦方向への滑り止め部の位置ずれが生じやすくなり、十分な滑り止め効果を得ることができない。
【０００９】
また、特許文献３および４の構成では、突起状または断片状の滑り止め部が点在して配置されているため、踵部の生地の縦方向および横方向への伸縮を抑制することができない。そのため、特許文献３および４では、縦方向および横方向への滑り止め部の位置ずれ生じやすくなり、十分な滑り止め効果を得ることができない。
【００１０】
さらに、特許文献５および６の構成では、踵の背面を覆うように面状の滑り止め部が配置されているため、踵部の生地の縦方向および横方向への伸縮を抑制することはできるが、滑り止め部が踵にフィットせず隙間が生じるため、十分な滑り止め効果を得ることができない。また、特許文献５および６の構成では、面状の滑り止め部によって踵の背面が覆われるため、汗などで肌がかぶれやすくなり、穿き心地が低下するという新たな課題が生じる。
【００１１】
本発明は、上記従来の課題に鑑みてなされたものであって、その目的は、履き心地を損なうことなく、ずれや脱げを好適に抑制可能なレッグウェアを提供することにある。
【課題を解決するための手段】
【００１２】
本発明に係るレッグウェアは、少なくとも、足裏を覆う足底部、および踵を覆う踵部を含む、伸縮性を有する本体部と、前記踵部の内側に設けられ、該踵部の生地よりも伸縮性が低い滑り止め部とを備え、前記滑り止め部は、２以上の異なる方向へ略直線的に延伸し、かつ延伸する方向へ伸びる２つの長辺が略平行である複数の帯状部を含み、該帯状部が一連に組み合わされた形状であることを特徴としている。
【００１３】
本発明に係るレッグウェアは、少なくとも、足裏を覆う足底部、および踵を覆う踵部を含む、伸縮性を有する本体部と、前記踵部の内側に設けられ、該踵部の生地よりも伸縮性が低い滑り止め部とを備え、前記滑り止め部は、２以上の異なる方向へ略直線的に延伸する複数の帯状部を含み、該帯状部が一連に組み合わされた形状であり、前記足底部に対して垂直な方向を縦方向、前記足底部の幅方向を横方向と定義した場合、前記滑り止め部は、前記帯状部として、略横方向へ延伸する第１帯状部と、略縦方向および略横方向とは異なる方向へ延伸する第３帯状部とを含み、前記第１帯状部の下端部から前記第３帯状部の下端部までの前記縦方向の距離が、前記第１帯状部の前記縦方向の幅よりも大きいことを特徴としている。
【発明の効果】
【００１４】
したがって、本発明によれば、履き心地を損なうことなく、ずれや脱げを好適に抑制可能なレッグウェアを提供することができるという効果を奏する。
【図面の簡単な説明】
【００１５】
【図１】本発明の実施形態に係る右足用のフットカバーの外観構成を示す斜視図である。
【図２】図１に示す滑り止め部の形状を説明するための模式図であり、（ａ）は、滑り止め部の背面図であり、（ｂ）は、滑り止め部の側面図である。
【図３】（ａ）〜（ｍ）は、本実施形態に係る滑り止め部の変形例を示す背面図である。
【図４】本実施形態に係る滑り止め部の他の変形例を示す背面図である。
【図５】（ａ）〜（ｆ）は、実施例で試験した滑り止め部の形状を示す背面図である。
【図６】実施例の試験方法を説明するための模式図である。
【図７】（ａ）〜（ｃ）は、実施例の試験結果を示すグラフである。
【図８】（ａ）〜（ｃ）は、本発明に係るレッグウェアが備える滑り止め部の構成を説明するための模式図である。
【発明を実施するための形態】
【００１６】
以下、本発明の実施の一形態について、図１〜図４に基づいて説明すれば以下のとおりである。本実施形態では、本発明をフットカバー（レッグウェア）に適用した場合を例にして説明する。
【００１７】
ただし、本発明は、足甲および足首を露出するフットカバーに限られず、足甲および足首を覆うように構成された各種のレッグウェアにも適用することが可能である。
【００１８】
〔フットカバー１の構成〕
図１は、本実施形態に係る右足用のフットカバー１の外観構成を示す斜視図である。図１に示すように、フットカバー１は、足Ｆに着用される本体部２、および本体部２のずれや脱げを防止する滑り止め部３を備えている。
【００１９】
（本体部２）
本体部２は、足裏を覆う足底部２１、爪先を覆う爪先部２２、足Ｆの両側辺を覆う側辺部２３、および踵を覆う踵部２４で形成されている。また、本体部２には、足底部２１に対して上下反対側に足を出し入れするための履き口部２ａが設けられている。
【００２０】
履き口部２ａは、足甲および足首が露出するように大きく開口されており、これにより、靴を履いたときに本体部２全体が靴の中に隠れるように構成されている。
【００２１】
この本体部２は、伸縮性の高い生地で形成されており、通気性、吸湿性の良好なものが好ましく、例えば、綿、麻、毛、絹、などの天然繊維、またはレーヨン、ナイロン、アクリル、ポリエステルなど、の化学繊維などが好ましい。
【００２２】
なお、本実施形態では、本体部２は編み機により編成しているが、織り機により織成した生地を縫着することによって本体部２を形成することも可能である。
【００２３】
（滑り止め部３）
滑り止め部３は、本体部２の生地よりも伸縮性が低く、かつ本体部２の生地よりも摩擦係数が高い素材からなる帯状の部材である。滑り止め部３は、踵部２４の内側の、踝（外果、内果）よりも下側で、かつ後ろ側の領域に設けられており、踵に当接することによって、足Ｆに対する本体部２のずれや脱げを防止する。
【００２４】
滑り止め部３の素材は、本体部２の生地よりも伸縮性が低く、かつ本体部２の生地よりも摩擦係数が高いものであれば特に限定されない。例えば、肌との摩擦抵抗が比較的大きな樹脂（天然ゴムなどの天然樹脂、シリコンゴム、ウレタンゴムなどの合成樹脂）のほか、様々な素材を用いることができる。
【００２５】
また、本実施形態に係る滑り止め部３は、滑り止め部形成用生地（基材）に樹脂などを貼り付けて（塗布して）シート状に形成し、本体部２の踵部２４に貼り付けられている。このように、滑り止め部３をシート状に形成することにより、三次元曲面である本体部２の踵部２４の内側に容易に貼り付けることができる。
滑り止め部形成用生地に貼り付けられる樹脂などの形状は、滑り止め部形成用生地の形状に一致させる必要はなく、粒子状や、花柄など任意の模様形状であってもよい。さらに、樹脂などの表面に微細な凹凸を設け、摩擦係数を高めることが好ましい。
【００２６】
滑り止め部形成用生地（基材）は、一定の伸縮性を有する生地であることが好ましい。一定の伸縮性のある生地を基材とすることで、踵部２４の生地自体が踵形状に適切にフィットすることを阻害することなく、踵部２４（本体部２）の生地に直接塗布または貼付した場合と比較して、踵部２４の生地の縦方向および横方向への伸縮をさらに効果的に抑制することができる。
【００２７】
また、滑り止め部形成用生地（基材）は、凹凸のある生地であることが好ましい。例えば、編成生地、織成生地など、編目や織目の凹凸がある場合、樹脂などを薄く塗布することにより、容易に樹脂などの表面に微細な凹凸を設け、摩擦係数を高めることができる。
【００２８】
なお、樹脂などを本体部２の踵部２４の生地に直接塗布または貼付することも可能である。
【００２９】
図２は、図１に示される滑値止め部３の形状を説明するための模式図であり、図２の（ａ）は、滑り止め部３の背面図であり、図２の（ｂ）は、滑り止め部３の側面図である。なお、図２の（ａ）では、アキレス腱Ａを省略して図示している。
【００３０】
図２の（ａ）および図２の（ｂ）に示すように、滑り止め部３は、足底部２１に対して垂直な方向を縦方向（図中のｘ方向）、足底部２１の幅方向を横方向（図中のｙ方向）と定義した場合、縦方向および横方向における踵部２４の生地の伸縮を抑制するように、異なる方向へ延伸する複数の帯状部が組み合わされた形状である（なお、図中、踵から爪先に向かう方向をｚ方向として示している。）。
【００３１】
具体的には、滑り止め部３は、アキレス腱Ａを横断して略横方向へ延伸する横型帯状部（第１帯状部）３１と、略縦方向へ延伸する２つの縦型帯状部（第２帯状部）３２ａ・３２ｂを備えており、２つの縦型帯状部３２ａ・３２ｂは、踵骨Ｂ（あるいは、踵骨隆起Ｃ）を挟むように設けられている。なお、本実施形態では、２つの縦型帯状部３２ａ・３２ｂは、足底部２１に近づくにつれて間隔が徐々に広がるように、縦方向に対して多少の角度差を有するように配置されている。
【００３２】
このように、横型帯状部３１と２つの縦型帯状部３２ａ・３２ｂとを、足底部２１側に開口した略コの字型に組み合わせることにより、踵部２４の生地の縦方向および横方向への伸縮を抑制することができる。
【００３３】
なお、縦方向における滑り止め部３の両端部（すなわち、横型帯状部３１の上端部、および縦型帯状部３２ａ・３２ｂの下端部）に接し、かつ横方向に平行な２辺と、横方向における滑り止め部３の両端部（すなわち、縦型帯状部３２ａ左端部および縦型帯状部３２ｂの右端部）に接し、かつ縦方向に平行な２辺とによって規定される矩形領域Ｒ内に、踵骨Ｂの背面中心部分（例えば、踵骨隆起Ｃ）が含まれるように、滑り止め部３が設けられていることが好ましい。これにより、踵部２４において特に生地が動きやすい部分の縦方向および横方向への伸縮を好適に抑制することができる。
【００３４】
また、本実施形態のように、滑り止め部３は、横型帯状部３１と縦型帯状部３２ａ、および横型帯状部３１と縦型帯状部３２ｂがそれぞれ接続されて、一連に形成されていることが好ましい。これにより、滑り止め部３の部分的な位置ずれが生じにくくなるため、踵部２４の生地の縦方向および横方向への伸縮をさらに効果的に抑制することができる。
【００３５】
〔フットカバー１の効果〕
歩行の際、特にアキレス腱Ａの近傍部の動きに踵部２４の生地が追随しない場合に、踵部２４の生地が縦方向へ引張される。また、歩行のメカニズムには、足首の縦方向への屈折動作のみではなく、横方向（外反方向または内反方向）への動作もあるため、踵部２４の生地は横方向へも引張される。そのため、踵部２４の生地の縦方向への伸縮、または踵部２４の生地の横方向への伸縮のいずれか一方のみを抑制しただけでは、踵部２４の生地の伸縮に伴う滑り止め部の位置ずれを抑制することができない。
【００３６】
そこで、フットカバー１では、踵２４部の生地の縦方向および横方向への伸縮を抑制するように、横型帯状部３１と２つの縦型帯状部３２ａ・３２ｂとが足底部２１側に開口した略コの字型に組み合わされている。
【００３７】
フットカバー１では、踵部２４において特に生地が動きやすい部分（踵骨Ｂの背面中心部分）を囲むように、上記部分の上方に横型帯状部３１、左側に縦型帯状部３２ａ、右側に縦型帯状部３２ｂが設けられている。そのため、滑り止め部３によって、踵部２４の生地の縦方向および横方向への伸縮を好適に抑制することができる。
【００３８】
さらに、本体部２は伸縮性の高い生地で形成されているため、踵部２４の生地自体は踵形状に適切にフィットする。そのため、フットカバー１が靴などの動きに追随してずれることなく、十分な滑り止め効果を得ることができる。
【００３９】
また、滑り止め部３は、複数の帯状部を一連に繋げた形状であるため、踵に滑り止め部３がフィットしやすく十分な滑り止め効果を得ることができると共に、通気性も十分に確保されているので汗などで肌がかぶれにくくすることができる。
【００４０】
なお、歩行の際、踵および甲を通って足を周囲する踵舟囲の形状はあまり変化しないことが知られている。そのため、踵部２４の生地の伸縮を滑り止め部３によって抑制したとしても、着用時の不快感が生じにくい。一方、例えば足底部２１（中足幅など）は足裏のアーチの伸展によって伸縮するため、足底部２１の生地の伸縮を抑制すると、着用時の不快感が生じやすい。このように、滑り止め部３を踵部２４に設けることで、フットカバー１の履き心地の低下を防ぐことができる。
【００４１】
したがって、本実施形態によれば、履き心地を損なうことなく、ずれや脱げを好適に抑制可能なフットカバー１を実現することができる。
【００４２】
〔変形例１〕
図３の（ａ）〜図３の（ｍ）は、本実施形態に係る滑り止め部３の変形例を示す背面図である。
【００４３】
滑り止め部３は、踵部２４の生地の縦方向および横方向への伸縮を抑制可能であればよく、上述した形状に限定されない。
【００４４】
例えば、図３の（ａ）に示すように、滑り止め部３は、２つの縦型帯状部３２ａ・３２ｂの中心部を接続するように、横型帯状部３１が設けられた略Ｈ字型の形状であってもよい。
【００４５】
また、図３の（ｂ）に示すように、滑り止め部３は、縦方向へ延伸する縦型帯状部３２ｃの上端部に横型帯状部３１の中心部が接続された略Ｔ字型の形状であってもよい。なお、或いは、図３の（ｃ）に示すように、滑り止め部３は、縦方向へ延伸する縦型帯状部３２ｃの下端部に横型帯状部３１の中心部が接続された逆Ｔ字型の形状であってもよい。
【００４６】
また、図３の（ｄ）に示すように、滑り止め部３は、略縦方向へ延伸する互いに平行な２つの縦型帯状部３２ｃ・３２ｄの下端部が横型帯状部３１によって接続された、履き口部２ａ側に開口した略コの字型の形状であってもよい。
【００４７】
また、図３の（ｅ）に示すように、滑り止め部３は、略縦方向へ延伸する互いに平行な２つの縦型帯状部３２ｃ・３２ｄの上端部が、略横方向へ延伸する横型帯状部３１ａによって接続され、かつ縦型帯状部３２ｃ・３２ｄの下端部が横型帯状部３１ｂによって接続された、略正方形型の形状であってもよい。
【００４８】
また、図３の（ｆ）に示すように、滑り止め部３は、略縦方向および略横方向とは異なる斜め方向へ延伸する２つの斜め型帯状部（第３帯状部）３３ａ・３３ｂを含み、これらの斜め型帯状部３３ａ・３３ｂが互いに中心部で交わった略Ｘ字型の形状であってもよい。
【００４９】
また、図３の（ｇ）に示すように、滑り止め部３は、斜め型帯状部３３ａの下端部と、斜め型帯状部３３ｂの下端部とが交わった略Ｖ字型の形状であってもよい。或いは、図３の（ｈ）に示すように、滑り止め部３は、斜め型帯状部３３ａの上端部と、斜め型帯状部３３ｂの上端部とが交わった逆Ｖ字型の形状であってもよい。
【００５０】
また、図３の（ｉ）に示すように、滑り止め部３は、略縦方向へ延伸する互いに平行な２つの縦型帯状部３２ｃ・３２ｄの上端部が、略Ｖ字型に連なる２つの斜め型帯状部３３ａ・３３ｂによって接続された略Ｍ字型の形状であってもよい。
【００５１】
また、図３の（ｉ）および図３の（ｋ）に示すように、滑り止め部３は、曲線状の曲線型帯状部（第４帯状部）３４が踵骨Ｂの背面中心部分（例えば、踵骨隆起Ｃ）を囲むように配置された曲線形状であってもよい。
【００５２】
また、図３の（ｌ）および図３の（ｍ）に示すように、滑り止め部３は、互いに交わった２つの曲線型帯状部３４ａ・３４ｂを含み、曲線型帯状部３４ａ・３４ｂが踵骨Ｂの背面中心部分（例えば、踵骨隆起Ｃ）を囲むように配置されていてもよい。
【００５３】
なお、図３の（ａ）〜図３の（ｍ）のいずれの構成であっても、矩形領域Ｒの中心に、踵骨Ｂの背面中心部分（例えば、踵骨隆起Ｃ）が配置されるように、滑り止め部３を設けることが好ましい。これにより、踵部２４の縦方向および横方向への伸縮を好適に抑制して、滑り止め部３の位置ずれを抑制することができる。
【００５４】
また、滑り止め部３はこれらの形状に限定されない。滑り止め部３は、踵部２４の生地の縦方向および横方向への伸縮を抑制可能なように、横型帯状部３１・３１ａ・３１ｂ、縦型帯状部３２ａ・３２ｂ・３２ｃ・３２ｄ、斜め型帯状部３３ａ・３３ｂ、および曲線型帯状部３４を適宜組み合わせた形状であってもよい。
【００５５】
〔変形例２〕
図４は、本実施形態に係る滑り止め部３の他の変形例を示す背面図である。図４に示すように、滑り止め部３は、横型帯状部３１と縦型帯状部３２ａ、および横型帯状部３１と縦型帯状部３２ｂが、必ずしも接続されていなくてもよい。
【００５６】
このような形状であっても、横型帯状部３１によって、足首の横方向（外反方向または内反方向）の動作による踵部の生地の横方向への伸縮を抑制することができる。また、縦型帯状部３２ａ・３２ｂによって、足首の縦方向への屈折動作による踵部２４の生地の縦方向への伸縮を抑制することができる。
【００５７】
ただし、横型帯状部３１と縦型帯状部３２ａ、および横型帯状部３１と縦型帯状部３２ｂが接続されて一連に形成されることにより、滑り止め部３の部分的な位置ずれが生じにくくなる。そのため、横型帯状部３１と縦型帯状部３２ａ、および横型帯状部３１と縦型帯状部３２ｂが接続されることにより、踵部２４の生地の縦方向および横方向への伸縮を効果的に抑制することができるため好ましい。
【００５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００５９】
以下、本発明の一実施例について、図５〜図７に基づいて説明すれば以下のとおりである。本実施例では、本発明に係るレッグウェアによる滑り止め効果について検証した。
【００６０】
図５の（ａ）〜図５の（ｆ）は、本実施例で試験した各滑り止め部の形状を示す背面図である。図５の（ａ）および図５の（ｂ）に示すように、本実施例では、本発明の滑り止め部として、足底部２１側に開口した略コの字型の形状である滑り止め部３ａ、および滑り止め部３ｂを準備した。滑り止め部３ａと滑り止め部３ｂとの違いは、滑り止め部３ａの２つの縦型帯状部３２ａ・３２ｂの幅に比べて、滑り止め部３ｂの２つの縦型帯状部３２ａ’・３２ｂ’の幅を狭くした点である。
【００６１】
また、図５の（ｃ）〜図５の（ｆ）に示すように、比較対象として、滑り止め部３ａから横型帯状部３１を取り除き、縦型帯状部３２ａ・３２ｂで構成した滑り止め部１０３ａ、略縦方向へ延伸する縦型帯状部３２ｃで構成した滑り止め部１０３ｂ、略横方向へ延伸する横型帯状部３１ｃで構成した滑り止め部１０３ｃ、横型帯状部３１ｃよりも幅が広い横型帯状部３１ｄで構成した滑り止め部１０３ｄをそれぞれ準備した、
〔試験方法〕
図６は、本実施例の試験方法を説明するための模式図である。
（１）婦人標準足型マネキンに各滑り止め部を設けたフットカバーを履かせた場合、婦人標準足型マネキンにパンストを装着した上に各滑り止め部を設けたフットカバーを履かせた場合、生足に各滑り止め部を設けたフットカバーを履かせた場合のそれぞれについて、図６に示すように、フットカバーを踵から爪先に向けて引張した時の引張力（応力）を、引張試験機（デジタルフォースゲージＺＰ５０Ｎ）４１を用いて計測した。
（２）各サンプルについて５回計測を行い、フットカバーが脱げたときの引張力の平均値を算出した。
【００６２】
〔試験結果〕
【００６３】
【表１】
2020037766.tif 000003
【００６４】
表１は、本実施例の試験結果を示す表である。また、図７は、本実施例の試験結果を示すグラフであり、図７の（ａ）は、婦人標準足型マネキンに各滑り止め部を設けたフットカバーを履かせた場合の試験結果であり、図７の（ｂ）は、婦人標準足型マネキンにパンストを装着した上に各滑り止め部を設けたフットカバーを履かせた場合の試験結果であり、図７の（ｃ）は、生足に各滑り止め部を設けたフットカバーを履かせた場合の試験結果である。
【００６５】
なお、表１および図７の（ａ）〜図７の（ｃ）では、滑り止め部３ａを設けたフットカバーを実施例１、滑り止め部３ｂを設けたフットカバーを実施例２、滑り止め部１０３ａを設けたフットカバーを比較例１、滑り止め部１０３ｂを設けたフットカバーを比較例２、滑り止め部１０３ｃを設けたフットカバーを比較例３、滑り止め部１０３ｄを設けたフットカバーを比較例４として示している。また、表１における括弧内の数値は、引張力（Ｎ／ｍｍ２）を滑り止め部の面積（ｍｍ２）で割った値であり、各滑り止め部の単位面積当たりの滑り止め力を示す指数である。
【００６６】
表１および図７の（ａ）に示すように、婦人標準足型マネキンに各滑り止め部を設けたフットカバーを履かせた場合、実施例１のフットカバーおよび実施例２のフットカバーは、フットカバーの生地が耐え得る限界値で引張してもフットカバーは一度も脱げなかった。
【００６７】
これに対して、比較例１のフットカバーが脱げたときの引張力の平均値は０．５１±０．０３、比較例２のフットカバーが脱げたときの引張力の平均値は０．４６±０．０３、比較例３のフットカバーが脱げたときの引張力の平均値は０．５７±０．０２、比較例４のフットカバーが脱げたときの引張力の平均値は１．５１±０．０２であった。
【００６８】
また、表１および図７の（ｂ）に示すように、婦人標準足型マネキンにパンストを装着した上に各滑り止め部を設けたフットカバーを履かせた場合、実施例１のフットカバーが脱げたときの引張力の平均値は２．５９±０．２２、実施例２のフットカバーが脱げたときの引張力の平均値は２．５３±０．０３であった。
【００６９】
これに対して、比較例１のフットカバーが脱げたときの引張力の平均値は０．５６±０．０２、比較例２のフットカバーが脱げたときの引張力の平均値は０．６０±０．０１、比較例３のフットカバーが脱げたときの引張力の平均値は０．６４±０．０３、比較例４のフットカバーが脱げたときの引張力の平均値は１．０８±０．０３であった。
【００７０】
また、表１および図７の（ｃ）に示すように、生足に各滑り止め部を設けたフットカバーを履かせた場合、実施例１のフットカバーが脱げたときの引張力の平均値は２．９４±０．０９、実施例２のフットカバーが脱げたときの引張力の平均値は２．６０±０．０９であった。
【００７１】
これに対して、比較例１のフットカバーが脱げたときの引張力の平均値は０．３８±０．０１、比較例２のフットカバーが脱げたときの引張力の平均値は０．３７±０．０３、比較例３のフットカバーが脱げたときの引張力の平均値は０．４２±０．０１、比較例４のフットカバーが脱げたときの引張力の平均値は０．７４±０．０２であった。
【００７２】
このように、婦人標準足型マネキンに各滑り止め部を設けたフットカバーを履かせた場合、婦人標準足型マネキンにパンストを装着した上に、各滑り止め部を設けたフットカバーを履かせた場合、生足に各滑り止め部を設けたフットカバーを履かせた場合のいずれの場合であっても、実施例１および実施例２のフットカバーは、比較例１〜４のフットカバーに比べて脱げにくく、高い滑り止め効果が得られた。
【００７３】
これは、実施例１および実施例２のフットカバーでは、横型帯状部３１および縦型帯状部３２ａ・３２ｂ、または、横型帯状部３１および縦型帯状部３２ａ’・３２ｂ’によって、踵部２４の生地の縦方向および横方向への伸縮が抑制された結果、踵部２４の生地の伸縮に伴う滑り止め部の位置ずれが抑制され、滑り止め部による十分な滑り止め効果が得られたためである。
【００７４】
一方、比較例１〜４のフットカバーでは、踵部２４の生地の縦方向または横方向への伸縮が生じる。例えば、比較例１のフットカバーでは、滑り止め部１０３ａの２つの縦型帯状部３２ａ・３２ｂが繋がっていないため、踵部２４の生地の横方向への伸縮が生じる。そのため、比較例１〜４のフットカバーでは、踵部２４の生地の伸縮に伴う滑り止め部の位置ずれが生じ、滑り止め部による十分な滑り止め効果が得られなかった。
【００７５】
このように、本実施例において、本発明に係るレッグウェアによって高い滑り止め効果が得られることが確認された。
【００７６】
〔補足〕
なお、本発明は以下のように表現することも可能である。図８の（ａ）〜図８の（ｃ）は、本発明に係るレッグウェアが備える滑り止め部３の構成を説明するための模式図である。具体的には、図８の（ａ）は、球体（踵）Ｓにおける仮想球面三角Ｔを示す概念図であり、図８の（ｂ）は、滑り止め部３を示す背面図であり、図８の（ｃ）は、他の滑り止め部３を示す背面図である。
【００７７】
図８の（ａ）および図８の（ｂ）に示すように、本発明に係るレッグウェアは、伸縮性生地からなるレッグウェアであって、伸縮性生地と比較して伸縮性が低く、かつ摩擦性が高い滑り止め部３を有し、滑り止め部３は、着用した際に踵における仮想球面三角Ｔの頂点Ｐ１・Ｐ２・Ｐ３を通る（または、頂点Ｐ１・Ｐ２・Ｐ３に端を発する）細幅帯状部の組み合わせであってもよい。
【００７８】
また、本発明に係るレッグウェアは、仮想球面三角Ｔの頂点の一つ（図８の（ｂ）中の頂点Ｐ１）が、踵骨に対応する位置に設けられていてもよい。
【００７９】
また、本発明に係るレッグウェアは、細幅帯状部の一部がアキレス腱に沿って配置されるように、仮想球面三角Ｔの頂点（図８の（ｂ）の頂点Ｐ１）が設けられていてもよい。
【００８０】
また、図８の（ｃ）に示すように、本発明に係るレッグウェアは、細幅帯状部が仮想球面三角Ｔの外側に位置する地点Ｐ４を通っていてもよい。
【００８１】
このように、発明に係るレッグウェアが備える滑り止め部３は、仮想球面三角Ｔの頂点Ｐ１〜Ｐ３を通る（または、頂点Ｐ１・Ｐ２・Ｐ３に端を発する）ように設けられた細幅帯状部の組み合わせで構成されていてもよい。このような滑り止め部３によって踵を立体的に包み込むことにより、歩行などの動作による踵部２４の生地の伸縮に伴う滑り止め部３の位置ずれを好機に抑制することができる。
【００８２】
したがって、上記の構成によれば、履き心地を損なうことなく、ずれや脱げを好適に抑制可能なレッグウェアを実現することができる。
【００８３】
〔補足２〕
また、本発明は以下のように表現することが可能である。
【００８４】
本発明に係るレッグウェアは、少なくとも、足裏を覆う足底部、および踵を覆う踵部を含む、伸縮性を有する本体部と、前記踵部の内側に設けられ、該踵部の生地よりも伸縮性が低い滑り止め部とを備え、前記足底部に対して垂直な方向を縦方向、前記足底部の幅方向を横方向と定義した場合、前記滑り止め部は、前記踵部の生地の前記縦方向および前記横方向への伸縮を抑制する帯状部を含むことを特徴としている。
【００８５】
上述のとおり、歩行の際、足首の縦方向への屈折動作により踵部の生地が縦方向へ引張され、本体部のずれや脱げが生じる。また、歩行のメカニズムには、足首の縦方向への屈折動作のみではなく、横方向（外反方向または内反方向）への動作もあるため、踵部の生地は横方向へも引張されることによって、本体部のずれや脱げが生じ得る。
【００８６】
そこで、上記の構成では、滑り止め部は、踵部の生地の縦方向および横方向への伸縮を抑制する帯状部を含み、この帯状部によって、踵部の生地の縦方向および横方向への伸縮を抑制しつつ、本体部の滑りを防止している。
【００８７】
例えば、２以上の異なる方向へ延伸するように帯状部を設けることにより、帯状部が配置された縦方向および横方向の範囲にわたって、踵部の生地の縦方向および横方向への伸縮が抑制される。そのため、歩行などの動作による踵部の生地の伸縮に伴う滑り止め部の位置ずれを抑制することができる。
【００８８】
また、上記の構成では、滑り止め部は帯状部から構成されているため、滑り止め部が踵にフィットしやすく十分な滑り止め効果を得ることができると共に、汗などで肌がかぶれにくくすることができる。
【００８９】
したがって、上記の構成によれば、履き心地を損なうことなく、ずれや脱げを好適に抑制可能なレッグウェアを実現することができる。
【００９０】
また、本発明に係るレッグウェアでは、前記帯状部は、略横方向へ延伸する第１帯状部と、略縦方向へ延伸する第２帯状部とを含んでいてもよい。
【００９１】
上記の構成では、第１帯状部によって、足首の横方向（外反方向または内反方向）の動作による踵部の生地の横方向への伸縮を抑制することができる。また、第２帯状部によって、足首の縦方向への屈折動作による踵部の生地の縦方向への伸縮を抑制することができる。
【００９２】
したがって、上記の構成によれば、滑り止め部によって、踵部の生地の縦方向および横方向への伸縮を抑制することができる。
【００９３】
なお、本明細書において、「略横方向に延伸する」とは、横方向に延伸すること、および実質的に横方向に延伸することを意味し、したがって、第１帯状部は、横方向に対して多少の角度差を有する方向へ延伸するものであってもよい。同様に、「略縦方向に延伸する」とは、縦方向に延伸すること、および実質的に縦方向に延伸することを意味し、したがって、第２帯状部は、縦方向に対して多少の角度差を有する方向へ延伸するものであってもよい。
【００９４】
また、本発明に係るレッグウェアでは、前記帯状部は、２つの前記第２帯状部を含み、２つの前記第２帯状部は、踵骨を挟むように設けられていてもよい。
【００９５】
上記の構成では、踵骨を挟むように２つの第２帯状部を設けることによって、踵部において特に生地が動きやすい部分（踵骨背面の中心部分）の縦方向への伸縮を好適に抑制することができる。
【００９６】
したがって、上記の構成によれば、踵部の生地の縦方向への伸縮を効果的に抑制することができる。
【００９７】
また、本発明に係るレッグウェアでは、前記第１帯状部は、アキレス腱を横断するように設けられており、２つの前記第２帯状部は、前記第１帯状部の両端部から前記足底部側へ延伸していてもよい。
【００９８】
上記の構成では、踵部において特に生地が動きやすい部分（踵骨背面の中心部分）の上方に第１帯状部、左右両側に第２帯状部が設けられているため、上記部分における縦方向および横方向への伸縮を好適に抑制することができる。
【００９９】
したがって、上記の構成によれば、踵部の生地の縦方向および横方向への伸縮を効果的に抑制することができる。
【０１００】
また、本発明に係るレッグウェアでは、前記帯状部は、略縦方向および略横方向とは異なる方向へ延伸する複数の第３帯状部を含み、複数の前記第３帯状部は、互いに交わっていてもよい。
【０１０１】
上記の構成では、滑り止め部は略縦方向および略横方向とは異なる方向へ延伸する複数の第３帯状部を含み、これらの第３帯状部が交わるように設けられている。このような構成であっても、複数の第３帯状部が配置された縦方向および横方向の範囲にわたって、踵部の生地の縦方向および横方向への伸縮を抑制することができる。
【０１０２】
したがって、上記の構成によれば、略縦方向および略横方向とは異なる方向へ延伸する第３帯状部を組み合わせて、踵部の生地の縦方向および横方向への伸縮を抑制可能な滑り止め部を実現することができる。
【０１０３】
また、本発明に係るレッグウェアでは、前記帯状部は、曲線状に延伸する第４帯状部を含んでいてもよい。
【０１０４】
上記の構成によれば、延伸方向が連続して変化する曲線状の第４帯状部によって、踵部の生地の縦方向および横方向への伸縮を抑制することができる。
【０１０５】
例えば、踵部において特に生地が動きやすい部分（踵骨背面の中心部分）を囲むよう第４帯状部を設けることによって、踵部の生地の縦方向および横方向への伸縮を効果的に抑制することができる。
【０１０６】
また、本発明に係るレッグウェアでは、前記帯状部は、一連に形成されていてもよい。
【０１０７】
上記の構成によれば、帯状部が一連に形成されることにより、帯状部の部分的な位置ずれが生じにくくなるため、踵部の生地の縦方向および横方向への伸縮をさらに効果的に抑制することができる。
【０１０８】
また、本発明に係るレッグウェアでは、前記滑り止め部は、前記本体部の生地よりも摩擦係数が高い樹脂が基材に塗布されて、シート状に形成されたものであってもよい。
【０１０９】
上記の構成では、本体部の生地よりも摩擦係数が高い樹脂を、基材全体に容易、かつ均一に塗布することができる。
【０１１０】
上記の構成によれば、踵部の生地の縦方向および横方向への伸縮をさらに効果的に抑制することができる。また、樹脂が基材に塗布されたシート状の滑り止め部を踵部の内側に設けることによって、効果的にレッグウェアのずれや脱げを抑制することができる。
【０１１１】
〔補足３〕
また、本発明は、以下のように表現することが可能である。
【０１１２】
本発明に係るレッグウェアは、少なくとも、足裏を覆う足底部、および踵を覆う踵部を含む、伸縮性を有する本体部と、前記踵部の内側に設けられ、該踵部の生地よりも伸縮性が低い滑り止め部とを備え、前記足底部に対して垂直な方向を縦方向、前記足底部の幅方向を横方向と定義した場合、前記滑り止め部は、前記踵部の生地の前記縦方向および前記横方向への伸縮を抑制する帯状部を含み、前記帯状部は、２以上の異なる方向へ延伸するように一連に形成され、踵骨の踵骨隆起よりも上方で横断しており、前記帯状部の下端部は、前記踵骨隆起の高さ以下に位置することを特徴としている。
【０１１３】
また、本発明に係るレッグウェアでは、前記帯状部は、略横方向へ延伸する第１帯状部と、略縦方向へ延伸する第２帯状部とを含んでいてもよい。
【０１１４】
また、本発明に係るレッグウェアでは、前記帯状部は、２つの前記第２帯状部を含み、２つの前記第２帯状部は、前記踵骨を挟むように設けられていてもよい。
【０１１５】
また、本発明に係るレッグウェアでは、前記第１帯状部は、アキレス腱を横断するように設けられており、２つの前記第２帯状部は、前記第１帯状部の両端部から前記足底部側へ延伸していてもよい。
【０１１６】
また、本発明に係るレッグウェアでは、前記帯状部は、略縦方向および略横方向とは異なる方向へ延伸する複数の第３帯状部を含み、複数の前記第３帯状部は、互いに交わっていてもよい。
【０１１７】
また、本発明に係るレッグウェアでは、前記帯状部は、曲線状に延伸する第４帯状部を含んでいてもよい。
【０１１８】
また、本発明に係るレッグウェアでは、２つの前記第２帯状部は、前記第１帯状部の両端部から前記足底部側へ延伸していてもよい。
【０１１９】
また、本発明に係るレッグウェアでは、前記帯状部は、略横方向へ延伸する第１帯状部と、略縦方向および略横方向とは異なる方向へ延伸する第３帯状部とを含んでいてもよい。
【０１２０】
また、本発明に係るレッグウェアでは、前記滑り止め部は、前記本体部の生地よりも摩擦係数が高い樹脂が基材に塗布されて、シート状に形成されたものであってもよい。
【０１２１】
〔補足４〕
また、本発明は、以下のように表現することが可能である。
【０１２２】
本発明に係るレッグウェアは、少なくとも、足裏を覆う足底部、および踵を覆う踵部を含む、伸縮性を有する本体部と、前記踵部の内側に設けられ、該踵部の生地よりも伸縮性が低い滑り止め部とを備え、前記滑り止め部は、２以上の異なる方向へ略直線的に延伸する複数の帯状部を含み、該帯状部が一連に組み合わされた形状であることを特徴としている。
【０１２３】
また、本発明に係るレッグウェアでは、前記足底部に対して垂直な方向を縦方向、前記足底部の幅方向を横方向と定義した場合、前記滑り止め部は、前記帯状部として、略横方向へ延伸する第１帯状部と、略縦方向へ延伸する第２帯状部とを含んでいてもよい。
【０１２４】
また、本発明に係るレッグウェアでは、前記縦方向における前記滑り止め部の両端部に接し、かつ前記横方向に平行な２辺と、前記横方向における前記滑り止め部の両端部に接し、かつ前記縦方向に平行な２辺とによって規定される矩形領域内に、踵骨の踵骨隆起が含まれるように、前記滑り止め部が設けられていてもよい。
【０１２５】
また、本発明に係るレッグウェアでは、前記滑り止め部は、２つの前記第２帯状部を含んでいてもよい。
【０１２６】
また、本発明に係るレッグウェアでは、２つの前記第２帯状部は、踵骨を挟むように設けられていてもよい。
【０１２７】
また、本発明に係るレッグウェアでは、２つの前記第２帯状部は、前記第１帯状部の両端部から前記足底部側へ延伸していてもよい。
【０１２８】
また、本発明に係るレッグウェアでは、前記滑り止め部は、前記第１帯状部と前記第２帯状部との接続部分で屈曲した形状であってもよい。
【０１２９】
また、本発明に係るレッグウェアでは、前記足底部に対して垂直な方向を縦方向、前記足底部の幅方向を横方向と定義した場合、前記滑り止め部は、前記帯状部として、略横方向へ延伸する第１帯状部と、略縦方向および略横方向とは異なる方向へ延伸する第３帯状部とを含んでいてもよい。
【０１３０】
また、本発明に係るレッグウェアでは、前記縦方向における前記滑り止め部の両端部に接し、かつ前記横方向に平行な２辺と、前記横方向における前記滑り止め部の両端部に接し、かつ前記縦方向に平行な２辺とによって規定される矩形領域内に、踵骨の踵骨隆起が含まれるように、前記滑り止め部が設けられていてもよい。
【０１３１】
また、本発明に係るレッグウェアでは、前記滑り止め部は、２つの前記第３帯状部を含んでいてもよい。
【０１３２】
また、本発明に係るレッグウェアでは、２つの前記第３帯状部は、踵骨を挟むように設けられていてもよい。
２つの前記第３帯状部は、前記第１帯状部の両端部から前記足底部側へ延伸していてもよい。
【０１３３】
また、本発明に係るレッグウェアでは、２つの前記第３帯状部は、前記第１帯状部の両端部から前記足底部側へ延伸していてもよい。
【０１３４】
また、本発明に係るレッグウェアでは、前記滑り止め部は、前記第１帯状部と前記第３帯状部との接続部分で屈曲した形状であってもよい。
【０１３５】
また、本発明に係るレッグウェアでは、２つの前記第３帯状部は、前記足底部に近づくにつれて互いの間隔が広がる角度で設けられていてもよい。
【０１３６】
また、本発明に係るレッグウェアでは、前記滑り止め部は、前記足底部側に開口した略コの字型の形状であってもよい。
【０１３７】
また、本発明に係るレッグウェアでは、前記足底部に対して垂直な方向を縦方向、前記足底部の幅方向を横方向と定義した場合、前記滑り止め部は、前記帯状部として、略縦方向および略横方向とは異なる方向へ延伸する複数の第３帯状部を含み、複数の前記第３帯状部は、互いに交わっていることを特徴としている。
【０１３８】
また、本発明に係るレッグウェアでは、前記縦方向における前記滑り止め部の両端部に接し、かつ前記横方向に平行な２辺と、前記横方向における前記滑り止め部の両端部に接し、かつ前記縦方向に平行な２辺とによって規定される矩形領域内に、踵骨の踵骨隆起が含まれるように、前記滑り止め部が設けられていてもよい。
【０１３９】
また、本発明に係るレッグウェアでは、前記滑り止め部は、前記本体部の生地よりも摩擦係数が高くてもよい。
【産業上の利用可能性】
【０１４０】
本発明は、靴下を含む各種のレッグウェアに適用に利用することができる。
【符号の説明】
【０１４１】
１  フットカバー（レッグウェア）
２  本体部
３  滑り止め部
２１  足底部
２４  踵部
３１・３１ａ・３１ｂ  横型帯状部（第１帯状部）
３２ａ・３２ａ’・３２ｂ・３２ｂ’・３２ｃ・３２ｄ  縦型帯状部（第２帯状部）
３３  斜め型帯状部（第３帯状部）
３４・３４ａ・３４ｂ  曲線型帯状部（第４帯状部）
Ａ  アキレス腱
Ｂ  踵骨
Ｃ  踵骨隆起
Ｆ  足
Ｒ  矩形領域
ｘ  縦方向
ｙ  横方向
【図１】
2020037766.tif 000004
【図２】
2020037766.tif 000005
【図３】
2020037766.tif 000006
【図４】
2020037766.tif 000007
【図５】
2020037766.tif 000008
【図６】
2020037766.tif 000009
【図７】
2020037766.tif 000010
【図８】
2020037766.tif 000011